(57)【要約】  【課題】  本発明は、特別なシステムを構築することなく安価な構成で、不正撮影を未然に防止可能な携帯端末装置を提供することを目的とする。  【解決手段】  本発明の携帯端末装置は、カメラ３を有する携帯端末装置であって、当該携帯端末装置の傾斜角を検知する傾斜センサ４と、前記傾斜センサにより検知した傾斜角に応じて、前記カメラ３のカメラ機能を制限するＣＰＵ１と、を備えるものである。その際、カメラ機能の制限として、撮影、撮影画像の保存、撮影画像の送信、撮影画像の表示などを制限する。【選択図】  図１
2006173880.tif 000002
【特許請求の範囲】
【請求項１】
カメラ部を有する携帯端末装置であって、
当該携帯端末装置の傾斜角を検知する傾斜センサと、
前記傾斜センサにより検知した傾斜角に応じて、前記カメラ部のカメラ機能を制限する制御部と、
を備える携帯端末装置。
【請求項２】
請求項１記載の携帯端末装置であって、
前記カメラ機能は、撮影、撮影画像の保存、撮影画像の送信、撮影画像の表示のいずれかを含む携帯端末装置。
【請求項３】
請求項１または２記載の携帯端末装置であって、
前記傾斜センサは、加速度センサを用いている携帯端末装置。
【発明の詳細な説明】
【技術分野】
【０００１】
本発明は、デジタルカメラ、携帯電話等のカメラ機能付携帯端末の不正撮影を防止する不正撮影防止装置、特に盗撮を未然に防止可能なカメラ機能付携帯端末の不正撮影防止装置に関するものである。
【背景技術】
【０００２】
近年、携帯電話にカメラ機能が付いていることが一般的となっているが、それに伴って携帯電話による不正撮影、特に盗撮が急増し、社会問題となっている。このため、カメラ機能付携帯端末を用いての不正撮影を防止する方法が幾つか提案されている。
【０００３】
例えば、カメラ付端末に撮影中であることを知らせる手段を設け、被写体側でその知らせを受けたときにそのカメラ付端末の機能を制限できるようにすることが提案されている（例えば、特許公報１参照。）。
【０００４】
また、外部からカメラ機能を制限する信号を受信したときに、カメラ機能付端末側でその受信信号に従って撮影、保存、送信、表示等の動作を規制するようにするようなシステムも提案されている（例えば、特許文献２参照。）。
【特許文献１】特開２００４−８８２７３号公報
【特許文献２】特開２００４−１５３３２４号公報
【発明の開示】
【発明が解決しようとする課題】
【０００５】
しかしながら、上記のような従来のカメラ機能付端末の不正撮影防止装置においては、外部からの信号を受信したときにカメラ機能付端末の動作が制限されるものであるため、外部信号を受信できない場合にはカメラ機能を制限することができず、また携帯端末自体では機能を制限することができないので、不正撮影を未然に防止することができないという問題があった。
【０００６】
本発明は、従来の問題を解決するためになされたもので、特別なシステムを構築することなく安価な構成で、不正撮影を未然に防止可能な携帯端末装置を提供することを目的とする。
【課題を解決するための手段】
【０００７】
本発明の携帯端末装置は、カメラ部を有する携帯端末装置であって、当該携帯端末装置の傾斜角を検知する傾斜センサと、前記傾斜センサにより検知した傾斜角に応じて、前記カメラ部のカメラ機能を制限する制御部と、を備えるものである。
【０００８】
この構成により、特別なシステムを構築することなく、安価な構成で不正撮影を未然に防止することができる。
【０００９】
また、本発明の携帯端末装置は、前記カメラ機能は、撮影、撮影画像の保存、撮影画像の送信、撮影画像の表示のいずれかを含むものである。
【００１０】
この構成により、不正撮影、その撮影画像の保存、送信、表示のいずれかを防止することができる。
【００１１】
また、本発明の携帯端末装置は、前記傾斜センサは、加速度センサを用いているものを含む。
【００１２】
この構成により、盗撮を防止することができる。
【発明の効果】
【００１３】
本発明の携帯端末装置によれば、特別なシステムを構築することなく、安価な構成で、不正撮影を未然に防止することができる。
【発明を実施するための最良の形態】
【００１４】
以下、本発明の実施形態の携帯端末装置について、図面を用いて説明する。
【００１５】
図１は本発明の実施形態の携帯端末装置の構成を示すブロック図であり、ここではカメラ付携帯電話の場合を示している。
【００１６】
同図において、１は全体の制御を司るＣＰＵ（制御部）で、これにカメラＤＳＰ（Ｄｉｇｉｔａｌ  Ｓｉｇｎａｌ  Ｐｒｏｃｅｓｓｏｒ）２を介してカメラ（カメラ部）３が接続されている。４はこのカメラ３の撮影方向の基準方向に対する傾斜角を検知する傾斜センサで、加速度センサが用いられている。そして、この傾斜角センサ４により検知した傾斜角に応じてＣＰＵ１はカメラ機能、例えば撮影、撮影画像のメモリ５への保存、撮影画像のアンテナ１０からの送信、撮影画像の表示部７への表示などを制限する。
【００１７】
また、上記のカメラ付携帯電話は、通常の携帯電話として必要な音響関係を制御する音響関係制御部６及びキー（Ｋｅｙ）スイッチ８を備えている。９はＲＦ増幅器である。
【００１８】
図２は上記構成のカメラ付携帯電話におけるカメラ起動時の動作を示すフローチャートである。このフローチャートに示す制御処理は、ＣＰＵ１により予め決められたプログラムに従って実行されるものである。
【００１９】
カメラ３が起動されると、ＣＰＵ１は一定の間隔で傾斜センサ４をモニターし、現在の携帯電話のセット（ＳＥＴ）の状態、つまりカメラ３を取り付けた筐体の姿勢を把握し（Ｓ１）、現在のセットの状態が写真撮影として不適切かどうかを判断する（Ｓ２）。そして、撮影が不適切であると判断したときに（Ｓ２、ＹＥＳ）、写真撮影ボタンが押された場合には（Ｓ３、ＹＥＳ）、カメラＤＳＰ２に送るデータにソフト的にマスクをかけ（Ｓ４）、写真撮影を禁止とする（Ｓ５）。
【００２０】
また、ＣＰＵ１は傾斜センサ４からの信号により現在のセットの状態が写真撮影として不適切ではないと判断したときに（Ｓ２、ＮＯ）、写真撮影ボタンが押された場合には（Ｓ６）、写真撮影を許可する（Ｓ７）。
【００２１】
図３は上記カメラ３と傾斜センサ４との位置関係を示す図であり、（ａ）は斜視図、（ｂ）は側面図である。携帯電話の第１の筐体１１、第２の筐体１２のうち、カメラ３は第１の筐体１１の表面に設置され、傾斜センサ４は第１の筐体１１内部の基板に組み込まれている。傾斜センサ４は、カメラ３に近い位置に配置することが好ましい。同図の（ａ）において、カメラ３を備えた第１の筐体の高さ方向をＸ方向、第１の筐体の幅方向をＹ方向、第１の筐体の厚み方向をＺ方向に設定している。
【００２２】
図４はカメラ動作禁止状態の一例を示す図である。傾斜センサ４は、第１の筐体１１が水平に配置され、カメラ３の撮影方向が垂直方向に上を向いている状態での、同図の（ａ）の点線により形成される面を、傾斜角度を測定する上での基準面（傾斜角度が０度）としている。傾斜センサ４は、例えば、（ｂ）に示すように、ＺＸ平面において基準面に対して３０度以上の傾きであり、かつ、ＹＺ平面において基準面に対して３０度以内の傾きであることを検知した場合に、現在のセットの状態が写真撮影として不適切な状態であると判断して、カメラとしての撮影動作を禁止する。なお、傾斜センサ４が検知する基準面に対する傾きは、上記の例に限るものではない。
【００２３】
このように、本実施形態の携帯端末装置によれば、特別なシステムを構築することなく安価な構成で、不正撮影を未然に防止することができる。また、不正撮影、その撮影画像の保存、送信、表示のいずれかを防止することができる。
【００２４】
ここで、上記のように本発明では電車内等で行われる盗撮行為をカメラ機能を制限するという形で防止することができる。すなわち、一般的にカメラ撮影をする場合は、図５の（ａ）及び（ｂ）に示すような使用状態で行うのが一般的である。しかし、電車内等で盗撮行為を行う際は、（ｃ）に示すように、筐体の上側（上部）を下側にして撮影を行うことが多いと予想される。
【００２５】
そこで、上述のように水平方向を基準として、現在セットがどのような姿勢であるか検知し、セットが基準からある一定の傾斜角以上に傾くとセンサからＣＰＵに信号が送られ、ＣＰＵがその信号を受け取るとセットの姿勢がカメラ撮影に相応しくないと判断し、強制的にカメラ機能（撮影、保存、表示等）の使用を禁止する。
【００２６】
本実施形態を実用化することにより、まず第１に盗撮という犯罪行為の削減に大きく役立つという効果が挙げられる。それに伴い、電車通勤等をしている女性の盗撮行為に対するストレスの緩和及び通常使用時の盗撮行為との勘違いの防止等、携帯端末を取り巻く環境の改善に役立つものとなる。
【００２７】
第２に、現在端末側ではあまり盗撮に対して意識していない面があるが、例えば従来の撮影時に音を鳴らす方法では、騒音が大きい場所では防止できない。また、盗撮に対する被害者（被撮影者）が特殊な機械を持ち、それが発する電波でカメラ機能を防止する方法や、カメラ撮影を行った際に撮影したことを被撮影者を含む周囲の人間に知らせるシステム的なものでは、被撮影者が特殊な機器を持たないといけなかったり、その機器にカメラ機能を制限させる機能を持たせないといけないものとなる。また、撮影したことを回りに知らせるためには、そのシステムを構築しなくてはいけないことや、周りのいらないデータを自分の端末が受信することになる。それに対して、本発明では、傾斜センサ（加速度センサ）を端末に取り付けるだけで実現可能であるため、実現性という面においても従来のものより優れている。
【産業上の利用可能性】
【００２８】
以上のように、本発明の携帯端末装置は、特別なシステムを構築することなく、安価な構成で不正撮影を未然に防止することができるという効果を有し、盗撮防止装置等として有用である。
【図面の簡単な説明】
【００２９】
【図１】本発明の実施形態における携帯端末装置の構成を示すブロック図
【図２】本発明の実施形態における携帯端末装置の動作を示すフローチャート
【図３】本発明の実施形態におけるカメラと傾斜センサとの位置関係を示す説明図
【図４】本発明の実施形態におけるカメラ動作禁止状態の一例を示す説明図
【図５】カメラ機能付携帯端末の使用状態を示す図
【符号の説明】
【００３０】
１  ＣＰＵ
３  カメラ
４  傾斜センサ
５  メモリ
７  表示部
【図１】
2006173880.tif 000003
【図２】
2006173880.tif 000004
【図３】
2006173880.tif 000005
【図４】
2006173880.tif 000006
【図５】
2006173880.tif 000007